(57)【特許請求の範囲】
【請求項１】
写真画像を用いて地図の作成を支援する航空画像処理装置において、
写真画像の撮影日時および撮影位置の緯度経度情報に基づいて太陽方位を求め、当該太陽方位と当該写真画像の撮影条件の情報に基づいて当該写真画像上の地物から発生する影の方位を求め、当該地物から発生する影の方位と所定方向間の日陰発生角度を求める日陰角度解析手段と、
前記写真画像の撮影日時および撮影位置の緯度経度情報に基づいて太陽高度を求め、当該太陽高度と前記写真画像の撮影条件の情報に基づいて、前記写真画像上の地物の地平面の高さに対して前記地物から発生する影が伸びる倍率を示す日陰発生延長倍率を求める日陰倍率解析手段と、
前記写真画像中の地物の輪郭線を抽出し、当該輪郭線を結線処理することによりポリゴンを生成するポリゴン生成手段と、
前記ポリゴン生成手段によって生成されたポリゴンを構成する各線分の写真画像上の角度から前記日陰発生角度に合致する線分を検出する日陰角度検出手段と、
前記日陰角度検出手段によって検出された日陰発生角度に合致する線分と当該日陰発生角度に合致する線分に接続された線分の関係が前記日陰発生延長倍率に合致するか否かを判定する日陰延長判定手段と、
前記日陰延長判定手段によって合致すると判定された場合、前記日陰発生角度に合致する線分と前記日陰発生角度に合致する線分に接続された線分を有する領域が隣接する全てのポリゴンの色調より暗いか否か判定し、隣接する全てのポリゴンの色調より暗い場合、前記日陰発生角度に合致する線分と前記日陰発生角度に合致する線分に接続された線分を有する領域を日陰領域と判定する日陰領域判定手段と、
を備えることを特徴とする航空画像処理装置。
【請求項２】
前記日陰領域判定手段により日陰領域と判定された領域について輪郭線を抽出し、当該輪郭線を結線処理することにより前記日陰領域のポリゴンを生成する日陰領域ポリゴン生成手段を備えることを特徴とする請求項１に記載の航空画像処理装置。
【請求項３】
日陰角度解析部と、日陰倍率解析部と、ポリゴン生成部と、日陰角度検出部と、日陰延長判定部と、日陰領域判定部とを備えた航空画像処理装置を用いて、写真画像による地図の作成を支援する航空画像処理方法において、
前記日陰角度解析部が、写真画像の撮影日時および撮影位置の緯度経度情報に基づいて太陽方位を求め、当該太陽方位と当該写真画像の撮影条件の情報に基づいて当該写真画像上の地物から発生する影の方位を求め、当該地物から発生する影の方位と所定方向間の日陰発生角度を求めるステップと、
前記日陰倍率解析部が、前記写真画像の撮影日時および撮影位置の緯度経度情報に基づいて太陽高度を求め、当該太陽高度と前記写真画像の撮影条件の情報に基づいて、前記写真画像上の地物の地平面の高さに対して前記地物から発生する影が伸びる倍率を示す日陰発生延長倍率を求めるステップと、
前記ポリゴン生成部が、前記写真画像中の地物の輪郭線を抽出し、当該輪郭線を結線処理することによりポリゴンを生成するステップと、
前記日陰角度検出部が、前記ポリゴン生成部によって生成されたポリゴンを構成する各線分の写真画像上の角度から前記日陰発生角度に合致する線分を検出するステップと、
前記日陰延長判定部が、前記日陰角度検出部によって検出された日陰発生角度に合致する線分と当該日陰発生角度に合致する線分に接続された線分の関係が前記日陰発生延長倍率に合致するか否かを判定するステップと、
前記日陰領域判定部が、前記日陰延長判定部によって合致すると判定された場合、前記日陰発生角度に合致する線分と前記日陰発生角度に合致する線分に接続された線分を有する領域が隣接する全てのポリゴンの色調より暗いか否か判定し、隣接する全てのポリゴンの色調より暗い場合、前記日陰発生角度に合致する線分と前記日陰発生角度に合致する線分に接続された線分を有する領域を日陰領域と判定するステップと、
を備えることを特徴とする航空画像処理方法。
【発明の詳細な説明】
【技術分野】
【０００１】
本発明は、航空写真画像や衛星画像等の写真画像を用いて写真画像中の地物を解析し地図の作成を支援する航空画像処理装置および航空画像処理方法に関する。
【背景技術】
【０００２】
近年、自動車に搭載されたカーナビゲーションやＧＰＳ機能が搭載された携帯端末（特に携帯電話）等の普及により電子地図データの利用者は年々増加の傾向にある。この為、現在位置や目的地等のデータをより明確かつ詳細に把握でき、より正確で、より最新で、より情報量の抱負な電子地図データをより安価に作成する地図作成システムの開発が望まれている。
【０００３】
従来から航空写真に基づいて地図のデータを作成する方法が知られている。ここで、地図とは、地形図、住宅地図、道路地図、土地利用図、土地被覆図、カーナビゲーション用電子地図、パソコン用電子地図等を指す。航空写真を用いて前記のような地図を作成する技術については、「コンピュータマッピング」（坂内、角本、太田、林
著：昭晃堂、１９９２年ｐ４５〜ｐ５０）に地図作成手法と題して記述されている。
【０００４】
上述した従来方法は、ネガフィルムに画像を写し取ったカメラの影像を人手により映像上に写された地物の輪郭線等から地物形状をトレースする作業を必要としていたが、デジタルカメラの出現と画素数の向上や、デジタルカメラの画像上から地物を検出する感度センサーの向上によりネガフィルムと同等以上の地図作成のためのデータ量をデジタルデータとして取り込むことに成功している。
【０００５】
そこで、下記の特許文献１に、高性能なデジタルカメラで撮影した航空写真や衛星画像からエッジ抽出による色情報の変化境界を線分化して地物をポリゴン化して電子データとしてデータベースに取り込むことが提案されている。
【０００６】
しかし自然光から撮影した航空写真や衛星画像には、必ず発生する非地物である地物の影がエッジ抽出による色情報の変化境界として解析されてしまい、地物の正確な形状を検出してエッジ抽出を行うことができず地物のポリゴン化の妨げとなっている。
【０００７】
そこで、下記の特許文献２に、自然光から撮影した航空写真や衛星画像に必ず発生する非地物の影をエッジ抽出した色情報領域のグループ化により、他者より相対的に暗いと言う尺度で地物の影でできた領域を画像上から認識することが提案されている。
【０００８】
また、下記の特許文献３に、日陰領域の画像解像度を上げるために画像入力装置のダイナミックレンジを拡大する画像編集により画像鮮明度を上げる提案がされている。しかし日陰領域がなくなるわけではなく全体の詳細度が向上するものである。
【０００９】
【特許文献１】特開２００４−２５２２１３号公報
【特許文献２】特開平１１−２８３０１２号公報
【特許文献３】特開平６−１０５２２４号公報
【発明の開示】
【発明が解決しようとする課題】
【００１０】
上述したように、近年、デジタルカメラにより撮影される画像の技術の進歩、電波や光、赤外を利用する人工衛星を使用したリモートセンシング技術の進歩により、航空写真や衛星画像から詳細に地物を検出した地図データを作成することが可能になってきている。特に、航空写真ではその解像度は２０ｃｍ程度までの精度を誇るようになってきており、またオルソ補正技術の向上により平準的な精度向上が目覚しい。そのため、航空写真や衛星画像のデジタル画像から地物のポリゴンデータを自動生成することが可能となってきている。このため地物の変化を適時にとらえ常に最新の地図データの作成が試みられるようになってきた。
【００１１】
しかし、照明器具を使えない航空写真や衛星画像の場合、太陽光をもとに撮影を行なうしかない。したがって、今日のデジタルカメラ等の解像度と感度制御技術の向上により航空写真や衛星画像の日陰部分についても太陽光の地表面や地物との乱反射により色調変化が生まれその地物形状を画像上で地図作成の作業者等が目で確認し、目視できるようになってきたとしても、地図データ作成用の装置での画像上で直接太陽光があたった領域（以後、日照領域と呼ぶ）を含む幅の広い色の階調領域で地物形状を検出する従来の機能では、色の階調差の少ない画像上で地物の陰になり直接太陽光をあたらなかった領域（以後、日陰領域と呼ぶ）の形状までも機械化により自動認識することは可能ではなかったため、画像上の日陰領域が航空写真や衛星画像のデジタル画像から正確に地物の形状を把握してポリゴンデータを自動生成することの妨げになっているという問題点を抱えている。
【００１２】
本発明は、以上のような問題点に鑑みてなされたものであり、その目的とするところは、航空写真等の画像中に含まれる日陰領域の認識率を高めて、より効率の良い正確な地図の作成を支援することが可能な航空画像処理装置および航空画像処理方法を提供することにある。
【課題を解決するための手段】
【００１３】
上記目的を達成するために、本発明の航空画像処理装置は、
写真画像を用いて地図の作成を支援する航空画像処理装置において、
写真画像の撮影日時および撮影位置の緯度経度情報に基づいて太陽方位を求め、当該太陽方位と当該写真画像の撮影条件の情報に基づいて当該写真画像上の地物から発生する影の方位を求め、当該地物から発生する影の方位と所定方向間の日陰発生角度を求める日陰角度解析手段と、
前記写真画像の撮影日時および撮影位置の緯度経度情報に基づいて太陽高度を求め、当該太陽高度と前記写真画像の撮影条件の情報に基づいて、前記写真画像上の地物の地平面の高さに対して前記地物から発生する影が伸びる倍率を示す日陰発生延長倍率を求める日陰倍率解析手段と、
前記写真画像中の地物の輪郭線を抽出し、当該輪郭線を結線処理することによりポリゴンを生成するポリゴン生成手段と、
前記ポリゴン生成手段によって生成されたポリゴンを構成する各線分の写真画像上の角度から前記日陰発生角度に合致する線分を検出する日陰角度検出手段と、
前記日陰角度検出手段によって検出された日陰発生角度に合致する線分と当該日陰発生角度に合致する線分に接続された線分の関係が前記日陰発生延長倍率に合致するか否かを判定する日陰延長判定手段と、
前記日陰延長判定手段によって合致すると判定された場合、前記日陰発生角度に合致する線分と前記日陰発生角度に合致する線分に接続された線分を有する領域が隣接する全てのポリゴンの色調より暗いか否か判定し、隣接する全てのポリゴンの色調より暗い場合、前記日陰発生角度に合致する線分と前記日陰発生角度に合致する線分に接続された線分を有する領域を日陰領域と判定する日陰領域判定手段と、
を備える。
【００１４】
好ましくは、本発明の航空画像処理装置は、
前記日陰領域判定手段により日陰領域と判定された領域について輪郭線を抽出し、当該輪郭線を結線処理することにより前記日陰領域のポリゴンを生成する日陰領域ポリゴン生成手段を備える。
【００１５】
また、本発明の航空画像処理方法は、
日陰角度解析部と、日陰倍率解析部と、ポリゴン生成部と、日陰角度検出部と、日陰延長判定部と、日陰領域判定部とを備えた航空画像処理装置を用いて、写真画像による地図の作成を支援する航空画像処理方法において、
前記日陰角度解析部が、写真画像の撮影日時および撮影位置の緯度経度情報に基づいて太陽方位を求め、当該太陽方位と当該写真画像の撮影条件の情報に基づいて当該写真画像上の地物から発生する影の方位を求め、当該地物から発生する影の方位と所定方向間の日陰発生角度を求めるステップと、
前記日陰倍率解析部が、前記写真画像の撮影日時および撮影位置の緯度経度情報に基づいて太陽高度を求め、当該太陽高度と前記写真画像の撮影条件の情報に基づいて、前記写真画像上の地物の地平面の高さに対して前記地物から発生する影が伸びる倍率を示す日陰発生延長倍率を求めるステップと、
前記ポリゴン生成部が、前記写真画像中の地物の輪郭線を抽出し、当該輪郭線を結線処理することによりポリゴンを生成するステップと、
前記日陰角度検出部が、前記ポリゴン生成部によって生成されたポリゴンを構成する各線分の写真画像上の角度から前記日陰発生角度に合致する線分を検出するステップと、
前記日陰延長判定部が、前記日陰角度検出部によって検出された日陰発生角度に合致する線分と当該日陰発生角度に合致する線分に接続された線分の関係が前記日陰発生延長倍率に合致するか否かを判定するステップと、
前記日陰領域判定部が、前記日陰延長判定部によって合致すると判定された場合、前記日陰発生角度に合致する線分と前記日陰発生角度に合致する線分に接続された線分を有する領域が隣接する全てのポリゴンの色調より暗いか否か判定し、隣接する全てのポリゴンの色調より暗い場合、前記日陰発生角度に合致する線分と前記日陰発生角度に合致する線分に接続された線分を有する領域を日陰領域と判定するステップと、
を備える。
【発明の効果】
【００１６】
本発明に係る航空画像処理装置および航空画像処理方法は、航空写真等の画像中に含まれる日陰領域の認識率を高めて、より効率の良い正確な地図の作成を支援することが可能となる。
【発明を実施するための最良の形態】
【００２０】
以下、本発明に係る航空画像処理装置を実施するための最良の形態について説明する。本実施の形態における航空画像処理装置は、航空写真や衛星画像等の画像から画像に関する情報等に基づいて画像上の地物から発生する影に関する情報を解析して地物のポリゴン生成を支援するためのデータを生成する自然陰影判別情報採取機能付き航空画像撮影システム１００と、正確な地図作成を支援するデータベースとなる地物のポリゴンを作成する地物ポリゴン生成システム５００とから構成されている。
【００２１】
図１は、本実施の形態における航空画像処理装置のうち自然陰影判別情報採取機能付き航空画像撮影システム１００の構成を示す説明図である。航空画像撮影システム１００は、航空写真等を撮影したデジタルカメラ等の撮影手段から画像データに関する情報を取り込む画像撮影部１１０と、画像撮影部１１０が撮影した航空写真等の画像データに基づいて処理を行う撮影中央制御部１２０と、航空写真等の画像データに関する情報や画像データ上の地物から発生する影に基づいて地物のポリゴン生成を支援するためのデータを生成する日陰情報解析部１３０とを備えている。また、航空画像撮影システム１００の外部には撮影中央制御部１２０が処理を行った地物のポリゴン生成を支援するためのデータや航空写真等の画像データを記憶する日陰情報付き航空画像ＤＢ２００が接続されている。
【００２２】
航空画像撮影システム１００は、例えば一般的なパーソナルコンピュータに、上述した画像撮影部１１０、撮影中央制御部１２０、日陰情報解析部１３０等の各要素の機能ブロックを演算制御するためのプログラムをインストールし、ＣＰＵ等がそれぞれの機能を制御することによって構成され実現される。日陰情報付き航空画像ＤＢ２００は、航空画像撮影システム１００の外部に情報の送受信が可能に接続されて構成されていても良く、例えば、サーバからインターネット等の通信網を介して接続されオンラインで記憶する、ＣＤ−ＲＯＭなどの記録媒体によって記憶する構成であっても良い。また、これらの各要素の機能ブロックは、本実施の形態においては、パーソナルコンピュータのＣＰＵがコンピュータプログラムを実行することによってソフトウェア的に構成されるが、それぞれの機能ブロックを実現した各装置を用いてハードウェア的に構成することも可能である。
【００２３】
画像撮影部１１０は、外部に接続等されている航空写真等の撮影を行ったデジタルカメラ等の撮影手段からCharge Coupled Device（電荷結合素子）、カメラファイルの光受生体等により航空写真等の画像データの撮像素子を記録して取り込むと同時に、この航空写真等画像データに関する撮影情報をセンサーにより記録して取り込む機能を有する。ここで、撮影情報とは、撮影日時、撮影位置の緯度経度情報、撮影範囲、撮影方位、撮影標高、撮影カメラ角度、レンズの画角等が含まれている。
【００２４】
撮影中央制御部１２０は、画像撮影部１１０や日陰情報解析部１３０等を制御し、画像撮影部１１０から得られた画像データ及び撮影情報をデジタル化し、日陰情報解析部１３０から得られたデータをデジタル化して日陰情報付き航空画像ＤＢ２００へ格納する機能を有する。
【００２５】
日陰情報解析部１３０は、撮影情報に含まれる撮影日時、撮影位置の緯度経度情報等に基づいて、太陽方位、太陽高度を算出し、さらに、撮影情報に含まれる撮影方位、撮影標高、撮影カメラ角度等の情報に基づいて航空写真等の画像上の地物から発生する影について処理を行い、影の延長方向および所定方向間の日陰発生角度や、地物の長さおよび影に関する倍率を示す日陰発生延長倍率等を含む日陰情報を解析する機能を有する。
【００２６】
ここで、日陰情報とは、航空写真等で撮影した画像上で地物が太陽光を受けた方向と反対方向に伸びて発生する影に関する情報であり、特に、日陰発生角度および日陰発生延長倍率を含む情報である。
【００２７】
日陰発生角度とは、航空写真等を撮影した撮影方法に応じて、航空写真等の画像上の地物から影が発生して伸びていく方位を示す角度であり、基本的に太陽が存在する方位と正反対を指す方位角度のことである。図３は、航空写真等の撮影を行った撮影方法や撮影画像、地物から発生した影の日陰発生角度を示す説明図である。図３の１０、２０に示すように、撮影方法１、２では、同一日時での太陽光１２、２２で照らされた地物１１、２１から発生して伸びた影は、図３の３０、４０に示すように、撮影方法１、２における撮影位置、撮影方位、撮影カメラ角度、撮影標高、レンズの画角等の条件に影響され、それぞれの撮影方法１、２毎に影が伸びていく方位が決定される。したがって、日陰発生角度とは、航空写真等の画像上で地物から発生している角度のことであり、図３の３０、４０に示すように、画像上で東西方向に伸びる東西方向線５３、６３と、地物から発生する影５２、６２が伸びていく方向との間の角度θ５１、６１のことである。日陰情報解析部１３０は、撮影位置、撮影方位、撮影カメラ角度、撮影標高、レンズの画角等の条件の情報に基づいて、影が伸びていく方位を決定し、この決定した影の方位と、東西方向線とから日陰発生角度を解析し算出する。
【００２８】
日陰発生延長倍率とは、画像上の地物の地平面の高さに対してその地物から発生する影がどれだけ伸びているかを示す倍率であり、基本的に太陽高度によって決まる。図４は、航空写真等の画像上に写された地物と、地物から発生する影の様子を示す説明図である。図４の７０、８０に示すように、撮影画像３、４における撮影方法での撮影位置、撮影方位、撮影カメラ角度、撮影標高、レンズの画角等の条件に影響され、それぞれの撮影画像３、４毎に地物の地平面の高さに対するその地物から発生する影が日陰発生角度の方位上に伸びていく倍率が決定される。したがって、日陰発生延長倍率とは、航空写真等の画像上で地物から伸びている倍率のことであり、図４の７０、８０に示すように、塔７３、８３から発生する影７４、８４について、塔７３、８３の地平面の高さを示す画像上の長さα７１、８１に対する、影７４、８４の日陰発生角度の方位上に伸びていく画像上の長さβ７２、８２との倍率β/αのことである。日陰情報解析部１３０は、撮影位置、撮影方位、撮影カメラ角度、撮影標高、レンズの画角等の条件の情報に基づいて、地物から発生する影が日陰発生角度の方位上に伸びていく倍率を解析して算出し、日陰発生延長倍率を決定する。
【００２９】
太陽方位、太陽高度は、撮影情報に含まれる撮影日時、撮影位置の緯度経度情報等に基づいて計算される冗長データである。
【００３０】
また、日陰情報解析部１３０は、以下のようにして日陰発生角度および日陰発生延長倍率を解析しても良い。図５は、航空写真等の画像上に写された地物と、地物から発生する影から上述と異なる方法で解析する方法を示す説明図である。図５のＡ０に示すように、予め電力供給用の鉄塔、電柱等の形状が特定されている定型的な地物の形状等の情報をマーカパターンとして登録しておき、図５の９０に示すように、撮影画像５の画像上からこのマーカパターンに一致する地物と影を自動的に認識して検出し、図５のＢ０に示すように、この検出した地物Ｂ４と、地物Ｂ４から発生する影Ｂ５と東西方向線とから角度θＢ１、すなわち、日陰発生角度と、地物Ｂ４の長さαＢ２と影Ｂ５の長さβＢ３とから日陰発生延長倍率を解析して検出する方法をとることもできる。
【００３１】
図２は、日陰情報付き航空画像ＤＢ２００の構成を示す説明図である。日陰情報付き航空画像ＤＢ２００には、航空写真等の画像データの１コマ毎を識別するための画像番号２１１に対して、撮影した日時を示す撮影日時２１２、撮影した位置を示す撮影位置の緯度経度情報２１３、画像に写された範囲を示す撮影範囲２１４、撮影した方位を示す撮影方位２１５、撮影した位置の標高を示す撮影標高２１６、撮影したカメラの角度を示す撮影カメラ角度２１７、カメラのレンズの画角２１８、撮影時の太陽光等の日照量２１９、日陰情報解析部１３０が解析した太陽方位２２０、太陽高度２２１、日陰発生角度２２２、日陰発生延長倍率２２３、航空写真等の画像のデータ２２４が関連付けて格納されている。
【００３２】
図６は、地物ポリゴン生成システム５００の構成を説明する説明図である。地物ポリゴン生成システム５００は、この地物ポリゴン生成システム５００内の各要素の機能ブロックの動作を制御する中央制御部５１０と、日陰情報付き航空画像ＤＢ２００等に記憶されている画像のデータを読み出して入力する画像情報入力部５２０と、画像情報入力部５２０が入力した画像上の色調等を編集する画像データ編集部５３０と、画像上に表示された地物の輪郭線である画像エッジを抽出する処理を行う画像エッジ抽出部５４０と、画像エッジ抽出部５４０が抽出した画像エッジを用いて地物のポリゴンを生成する処理を行うポリゴン生成部５５０と、ポリゴン生成部５５０が生成したポリゴンのデータに基づいて地物から発生する影となる部分として日陰領域を識別するための処理を行う日陰領域識別部５６０とを備えている。また、地物ポリゴン生成システム５００の外部には、日陰情報付き航空画像ＤＢ２００、日陰情報を含まない画像に関する各種のデータや航空写真等の画像データを記憶する日陰情報無し航空画像ＤＢ３００、画像情報入力部５２０が入力した画像の日陰情報等を一時的に記憶する日陰情報パラメータ４００、地物ポリゴン生成システム５００が生成した地物のポリゴン等のデータを記憶する地物ポリゴンＤＢ６００が接続されている。
【００３３】
地物ポリゴン生成システム５００は、例えば一般的なパーソナルコンピュータに、上述した中央制御部５１０、画像情報入力部５２０、画像データ編集部５３０、画像エッジ抽出部５４０、ポリゴン生成部５５０、日陰領域識別部５６０等の各要素の機能ブロックを演算制御するためのプログラムをインストールし、ＣＰＵ等がそれぞれの機能を制御することによって構成され実現される。日陰情報付き航空画像ＤＢ２００、日陰情報無し航空画像ＤＢ３００、日陰情報パラメータ４００、地物ポリゴンＤＢ６００は、地物ポリゴン生成システム５００の外部に情報の送受信が可能に接続されて構成されていても良く、例えば、サーバからインターネット等の通信網を介して接続されオンラインで記憶する、ＣＤ−ＲＯＭなどの記録媒体によって記憶する構成であっても良い。また、これらの各要素の機能ブロックは、本実施の形態においては、パーソナルコンピュータのＣＰＵがコンピュータプログラムを実行することによってソフトウェア的に構成されるが、それぞれの機能ブロックを実現した各装置を用いてハードウェア的に構成することも可能である。
【００３４】
画像情報入力部５２０は、日陰情報付き航空画像ＤＢ２００に記憶された画像のデータ２２４とこれに関連付けられた日陰発生角度２２２、日陰発生延長倍率２２３等の情報を読み出して地物ポリゴン生成システム５００に入力する機能を有する。また、日陰情報無し航空画像ＤＢ３００に記憶された後述する画像のデータ６１７や、図５のＢ０に示すように、画像上からオペレータ等が所定の器具を用いて測定、算出等を行った日陰発生角度、日陰発生延長倍率の情報を図示しない操作手段により入力したことに応じて、発生角度６２１、日陰発生延長倍率６２２等として日陰情報パラメータ４００に格納し、画像のデータ６１７と共に地物ポリゴン生成システム５００に入力する機能を有する。
【００３５】
画像データ編集部５３０は、画像情報入力部５２０が入力した航空写真等の画像上の色調を、例えば画像上の地物の輪郭線が容易に検出可能なように色調の変化の境界部分等の色調を変更して編集を行う機能を有する。主に画像上の画素毎の濃淡変換としての階調変換・色調変換、画像上の色調の変化の境界部分における領域に基づく濃淡変換、即ち、空間フィルタリングとしての画像上の地物等の強調（シャープネス）の処理や平滑化（スムージング）の処理等を行い画像上から画像エッジの抽出によるポリゴンの生成処理に最適な一般的な画像変換を行う機能を有する。
【００３６】
画像エッジ抽出部５４０は、航空写真等の画像上の差分演算の処理を行い、その処理で発生した画像上の雑音成分をSobel(ゾーベル)フィルタ、Prewitt(プレヴィット)フィルタ等を使い雑音の低減とノイズの除去を行なって、画像エッジを検出する機能を有する。
【００３７】
ポリゴン生成部５５０は、画像エッジ抽出部５４０が抽出した画像エッジ成分の線分を結線する処理等を行いポリゴン化して地物のポリゴンを生成する機能を有する。例えば画像エッジの線分の断線した部分をグループ化等により結線してポリゴン化を行う。
【００３８】
また、ポリゴン生成部５５０は、生成したポリゴンのサイズを示す領域が予め設定されていた最小の矩形サイズより小さい場合、また、画像エッジの線分の境界部分の揺らぎの振幅が予め設定された値より小さい場合には、例えば航空写真等に偶然写された人影や樹木等の地図に表示する建築物等の表示対象物ではないと判定し、ポリゴンを削除するようになっている。
【００３９】
図８は、ポリゴン生成部５５０が画像上の地物からポリゴンを生成した例を示す説明図である。図８では、地物ポリゴン生成部５５０が図８のＣ０に示す撮影画像６から、画像エッジ抽出部５４０が画像上の色調の変化の境界部分から地物の輪郭線である画像エッジを抽出する処理を行い、地物ポリゴン生成部５５０がこの画像エッジの線分の結線処理等により、図８のＤ０に示すように、地物ポリゴン１を生成した様子を示している。なお、このポリゴン生成の例では、図８のＣ０に示すように、地物の影となる日陰領域Ｃ４と、地物領域Ｃ６とは、撮影した際の光量不足等の条件に影響され、画像データ編集部５３０の編集処理を経ても日照領域と日陰領域とを区別して画像エッジを抽出するための濃淡の差の階調度が広がらずに同色判定され、図８のＤ４に示すように、１つの地物ポリゴンとして生成されている。
【００４０】
日陰領域識別部５６０は、地物ポリゴン生成部５５０が生成したポリゴンのデータに対して処理を行い、地物の日陰発生角度２２２、６２１や日陰発生延長倍率２２３、６２２の情報を用いて、地物から発生した影の部分である日陰領域を識別して抽出する機能を有する。
【００４１】
図７は、日陰情報無し航空画像ＤＢ３００、日陰情報パラメータ４００、地物ポリゴンＤＢ６００の構成を示す説明図である。日陰情報無し航空画像ＤＢ３００には、航空写真等の画像データの１コマ毎を識別するための画像番号６１１に対して、撮影した日時を示す撮影日時６１２、撮影した位置を示す撮影位置の緯度経度情報６１３、画像に写された範囲を示す撮影範囲６１４、撮影した方位を示す撮影方位６１５、撮影した位置の標高を示す撮影標高６１６、航空写真等の画像のデータ６１７が関連付けて格納されている。
【００４２】
日陰情報パラメータ４００には、画像情報入力部５２０が入力した画像の日陰情報として日陰発生角度６２１、日陰発生延長倍率６２２が画像番号６１１に関連付けられて一時的に格納されている。地物ポリゴンＤＢ６００には、地物ポリゴン生成部５５０がポリゴン生成の処理を行った画像データを識別するための画像番号２１１、６１１に対応する画像番号６３１に対して、撮影した日時を示す撮影日時６３２、撮影した位置を示す撮影位置の緯度経度情報６３３、画像上に含まれるポリゴンの数を示すポリゴン数６３４、画像上で生成した道路、河川、湖池、建物形状等の地物の各ポリゴンに関する画像上の座標点等のデータを含むポリゴンデータ６３５が関連付けて格納されている。
【００４３】
続いて、本実施の形態における航空画像処理装置の動作について、図９、図１１に示すフローチャート図を用いて詳細に説明する。まず、地物ポリゴン生成システム５００において、ポリゴン生成部５５０が生成したポリゴンから日陰領域を識別するための処理について図９に示すフローチャート図を用いて説明する。地物ポリゴン生成システム５００の中央制御部５１０は、日陰領域識別部５６０により画像上の地物ポリゴンを構成する線分が日陰発生角度に合致するか否かを判定する処理を行う（ステップＳ１１）。
【００４４】
中央制御部５１０は、地物ポリゴンＤＢ６００に記憶されたポリゴンデータ６３５とこれに関連付けられた画像番号６３１を読み出し、この画像番号６３１に基づいて日陰情報付き航空画像ＤＢ２００または日陰情報パラメータ６２０を検索し、画像番号６３１に対応する画像番号２１１、６１１に関連付けられた日陰発生角度２２２または６２１、日陰発生延長倍率２２３または６２２を読み出す。そして、日陰発生角度２２２または６２１の情報を参照して、日陰発生角度と、ポリゴン生成部５５０が生成したポリゴンを構成する各線分の画像上の角度とを比較して、ポリゴンを構成する線分のうち日陰発生角度に合致するものがあるか否かを判定する処理を行う。例えば、図１０に示す地物のポリゴンの例では、図１０のＦ０に示す画像上のポリゴンＦ１を構成する各線分が、Ｇ０に示す日陰発生角度を成す線分Ｇ１と角度が合致するか否かを判定する。無い場合には（ステップＳ１１のＮＯ）、ステップＳ１５の処理を実行する。
【００４５】
次に、中央制御部５１０は、日陰発生角度に合致するものがある場合には（ステップＳ１１のＹＥＳ）、日陰発生角度に合致する影の線分と地物の線分に関する倍率が日陰発生延長倍率に合致するか否かを判定する処理を行う（ステップＳ１２）。日陰発生延長倍率２２３または６２２の情報を参照して、日陰発生角度に合致する影となる部分の線分の画像上の長さβと、この影となる部分の線分に接続された線分の画像上の長さαに基づいて日陰発生延長倍率β／αを算出し、この数値が日陰発生延長倍率２２３または６２２に合致するか否かを判定する処理を行う。例えば、図１０に示す地物のポリゴンの例では、図１０のＦ０に示す画像上の日陰発生角度に合致する影となる線分の長さβと、この線分に接続されたポリゴンＦ１の線分の長さαとに基づいた日陰発生延長倍率が、Ｈ０に示す線分Ｈ１と線分Ｈ２とに基づいた日陰発生延長倍率に合致するか否かを判定する。合致しない場合には（ステップＳ１２のＮＯ）、ステップＳ１５の処理を実行する。
【００４６】
次に、中央制御部５１０は、日陰発生延長倍率が合致する場合には（ステップＳ１１のＹＥＳ）、影となる線分で囲まれた領域の色調が隣接する全てのポリゴンよりも暗いか否かを判定する処理を行う（ステップＳ１３）。影となる各線分で囲まれた領域の色調と、この領域に隣接する全てのポリゴンの色調を検出し、これらの隣接する全てのポリゴンの色調よりもこの領域の色調が暗いか否かを判定する処理を行う。例えば、図１０に示す地物のポリゴンの例では、図１０のＦ０に示す画像上の日陰発生角度に合致する影となる各線分で囲まれた領域の色調と、この領域に隣接する全てのポリゴンの色調を検出し、これらの隣接する全てのポリゴンの色調よりもこの領域の色調が暗いか否かを判定する。色調が暗くない場合には（ステップＳ１３のＮＯ）、ステップＳ１５の処理を実行する。
【００４７】
次に、中央制御部５１０は、色調が暗い場合には（ステップＳ１３のＹＥＳ）、影となる線分で囲まれた領域が日陰領域であると識別し（ステップＳ１４）、地物ポリゴンＤＢ６００に記憶された全てのポリゴンのデータに対して処理を行ったか否かを判定する（ステップＳ１５）。全てのポリゴンのデータに対して処理を行った場合には（ステップＳ１５のＹＥＳ）、処理を終了する。
【００４８】
全てのポリゴンのデータに対して処理を行っていない場合には（ステップＳ１５のＮＯ）、以上の処理を行ったポリゴンデータ６３５に関連付けられた画像番号６３１をインクリメントする処理等を行い、他のポリゴンデータ６３５に対してステップＳ１１以降の処理を繰り返し実行していく。
【００４９】
続いて、地物ポリゴン生成システム５００において、上述の処理で識別された日陰領域のポリゴンを生成するための処理について図１１に示すフローチャート図を用いて説明する。まず、地物ポリゴン生成システム５００の中央制御部５１０は、日陰領域を識別するための処理により識別された日陰領域のデータが存在するか否かを判定する処理を行う（ステップＳ２１）。地物ポリゴンＤＢ６００内を検索して日陰領域のデータが存在するか否かを判定する処理を行う。存在しない場合には（ステップＳ２１のＮＯ）、処理を終了する。
【００５０】
次に、中央制御部５１０は、日陰領域のデータが存在する場合には（ステップＳ２１のＹＥＳ）、画像データ編集部５３０により、画像上の日陰領域について色調の編集等の処理を行う（ステップＳ２２）。例えば、日陰領域の境界部分等の色調を変更することにより、画像エッジ抽出部５４０が日陰領域の輪郭線を色調の変化に基づいて容易に検出可能となるように編集する処理を行う。例えば、図１２に示す日陰領域の例では、図１２のＪ０に示す画像上の日陰領域Ｊ１の境界部分に関して日陰領域Ｊ１の内側部分と外側部分とで異なる色調となるように変更する処理等を行う。
【００５１】
次に、中央制御部５１０は、画像エッジ抽出部５４０により画像上の差分演算の処理を行い、日陰領域の輪郭線部分について雑音の低減とノイズの除去等を行なって、日陰領域の画像エッジを抽出する処理を行う（ステップＳ２３）。
【００５２】
次に、中央制御部５１０は、ポリゴン生成部５５０により日陰領域の画像エッジ成分の線分を結線する処理等を行い日陰領域のポリゴンを生成する処理を行う（ステップＳ２４）。例えば、図１２に示す日陰領域の例では、図１２のＪ０に示す画像上の日陰領域Ｊ１の画像エッジ成分の線分を、断線した部分をグループ化や伸張して繋ぎ合わせる処理等を行って結線しポリゴンを生成する。
【００５３】
次に、中央制御部５１０は、生成したこの日陰領域のポリゴンを日陰領域識別部５６０によりこの日陰領域が存在する画像の画像番号６３１に関連付けてポリゴンデータ６３５に含めて地物ポリゴンＤＢ６００に格納する処理を行う（ステップＳ２５）。そして、ステップＳ２１以降の処理を繰り返し実行する。
【００５４】
以上のように、本実施の形態における航空画像処理装置では、中央制御部５１０が日陰発生角度と、ポリゴン生成部５５０が生成したポリゴンを構成する各線分の画像上の角度とを比較して、ポリゴンを構成する線分のうち日陰発生角度に合致するものがあるか否かを判定し、影の線分と地物の線分に関する倍率が日陰発生延長倍率に合致するか否かを判定し、影となる線分で囲まれた領域の色調が隣接する全てのポリゴンよりも暗いか否かを判定する処理を行い、その処理の結果、影となる線分で囲まれた領域が日陰領域であると識別する。そして、識別した日陰領域のポリゴンを生成する処理を行う。
【００５５】
このため、これまで採取が困難だった日陰領域を最適化した航空写真等の画像からの画像エッジ抽出によるポリゴン化を可能にしたので、航空写真や衛星画像の画像から地物のポリゴンデータの自動生成をより正確かつ効率化することが可能になる。航空写真等の画像データを用いて地図を作成する際には、日陰領域のポリゴンにより明確に表示された日陰領域の部分を認識し、地図に誤って日陰領域を表示するトラブル等を防止して、より効率の良い正確な地図の作成を支援することが可能となる。航空写真等の画像中に含まれる日陰領域の認識率を高めて、より効率の良い正確な地図の作成を支援することが可能となる。
【００５６】
（他の実施の形態）
上述の実施の形態においては、ステップＳ１３で影となる線分で囲まれた領域の色調が隣接する全てのポリゴンよりも暗いか否かを判定したが、これに限られず、更に色調が暗いか否かを判定すると共に、影となる線分で囲まれた領域の色が黒色であるか否かを判定することとしてもよい。このような処理により、より正確に日陰領域であるか否かを判定できる。
【図面の簡単な説明】
【００５７】
【図１】本実施の形態における航空画像処理装置の航空画像撮影システム１００の構成を示す説明図である。
【図２】本実施の形態における航空画像処理装置の日陰情報付き航空画像ＤＢを示す説明図である。
【図３】本実施の形態における航空画像処理装置の日陰発生角度を示した説明図である。
【図４】本実施の形態における航空画像処理装置の日陰発生延長倍率を示した説明図である。
【図５】本実施の形態における航空画像処理装置の日陰発生角度、日陰発生延長倍率を示した説明図である。
【図６】本実施の形態における航空画像処理装置の地物ポリゴン発生システムの構成を示す説明図である。
【図７】本実施の形態における航空画像処理装置の日陰情報無し航空画像ＤＢ、日陰情報パラメータ、地物ポリゴンＤＢを示す説明図である。
【図８】本実施の形態における航空画像処理装置の地物のポリゴン生成処理を示す説明図である。
【図９】本実施の形態における航空画像処理装置の日陰領域を識別する処理を示すフローチャートである。
【図１０】本実施の形態における航空画像処理装置の日陰発生角度、日陰発生延長倍率を判定する処理を示すフローチャートである。
【図１１】本実施の形態における航空画像処理装置の日陰領域のポリゴン生成処理を示すフローチャートである。
【図１２】本実施の形態における航空画像処理装置の日陰領域のポリゴン生成処理を示す説明図である。
【符号の説明】
【００５８】
１００  航空画像撮影システム
１１０  画像撮影部
１２０  画像記録中央制御部
１３０  日陰情報解析部
２００  日陰情報付き航空画像ＤＢ
３００  日陰情報無し航空画像ＤＢ
４００  日陰情報パラメータ
５００  地物ポリゴン生成システム
５１０  中央制御部
５２０  画像情報入力部
５３０  画像データ編集部
５４０  画像エッジ抽出部
５５０  ポリゴン生成部
５６０  日陰領域識別部
６００  地物ポリゴンＤＢ
【図１】
0004647514.tif 000002
【図２】
0004647514.tif 000003
【図３】
0004647514.tif 000004
【図４】
0004647514.tif 000005
【図５】
0004647514.tif 000006
【図６】
0004647514.tif 000007
【図７】
0004647514.tif 000008
【図８】
0004647514.tif 000009
【図９】
0004647514.tif 000010
【図１０】
0004647514.tif 000011
【図１１】
0004647514.tif 000012
【図１２】
0004647514.tif 000013